(57)【特許請求の範囲】
【請求項１】
機器側に対向して取り付けられる取付面部を有し、この取付面部に、機器側からアースねじが挿通されるアースねじ挿通孔が設けられるとともに、アースねじ挿通孔の近傍に一対の当接部挿通孔が設けられた端子台本体と；
端子台本体内に収容され、取付面部のアースねじ挿通孔に挿通されるアースねじがねじ込まれるアースねじ取付孔が設けられたアースねじ取付部、および取付面部の当接部挿通孔を通じて機器側に当接するとともにアースねじ取付部のアースねじ取付孔の中心を通る直線上の位置でアースねじ取付孔の中心から同一距離の位置に設けられている一対の当接部を有し、アースねじの締め付けで機器側にアース接続されるアース端子と；
を具備していることを特徴とする端子台。
【請求項２】
器具本体と；
器具本体にアース接続されて取り付けられる請求項１記載の端子台と；
器具本体に端子台をアース接続するアースねじと；
を具備していることを特徴とする照明器具。
【発明の詳細な説明】
【技術分野】
【０００１】
本発明は、アースねじを用いて機器側とアース接続するアース端子を備えた端子台、およびこの端子台を用いた照明器具に関する。
【背景技術】
【０００２】
従来、例えば照明器具に使用される端子台は、合成樹脂製のボディとカバーとで端子台本体が構成され、この端子台本体内に、正負極用の電源端子とともに、照明器具のアースをとるためのアース端子が収容されている。
【０００３】
カバーには、照明器具の器具本体に対向して取り付けられる取付面が形成され、このカバーの取付面部にアースねじが挿通されるアースねじ挿通孔が形成されている。アース端子には、カバーのアースねじ挿通孔を挿通されるアースねじがねじ込まれるアースねじ取付孔を有するアースねじ取付部が形成されている。
【０００４】
そして、器具本体の内面側に端子台を配置し、器具本体の外面からアースねじを端子台本体のアースねじ挿通孔を通じてアース端子にねじ込み、器具本体とアース端子との間にカバーを挟み込むようにアースねじを締め付けることにより、アースねじの頭部に設けられた複数の突起が器具本体の表面に塗装がある場合でもそれを剥がして電気的に接続されるように食い込む。したがって、アースねじを締め付けることにより、器具本体とアース端子との間にカバーを挟み込んだ状態で、アースねじの頭部が器具本体に圧接し、アースねじを通じて器具本体とアース端子とをアース接続するとともに、端子台を器具本体に取り付けている（例えば、特許文献１参照。）。
【特許文献１】特開平９−１０２２１６号公報（第３−６頁、図１２）
【発明の開示】
【発明が解決しようとする課題】
【０００５】
しかしながら、器具本体に取り付けられた端子台は、ランプの点灯時の熱や点灯装置から器具本体を通じて伝達される熱の影響を受け、端子台本体がナイロン樹脂などの合成樹脂で形成されている場合、熱の影響を受けて端子台本体の収縮が生じることがある。
【０００６】
端子台本体の収縮が生じた場合、器具本体とアース端子との間に介在しているカバーの取付面部の板厚が薄くなるため、アースねじによる締付力が低下し、それによってアース端子の頭部と器具本体との接触力が低下し、アース接続の安定性が確実でなくなるおそれがある。
【０００７】
本発明は、このような点に鑑みなされたもので、熱の影響を受けて端子台本体が収縮しても、アースねじの締め付けによる機器側とアース端子とのアース接続の安定性は確実に維持できる端子台、およびこの端子台を用いた照明器具を提供することを目的とする。
【課題を解決するための手段】
【０００８】
請求項１記載の端子台は、機器側に対向して取り付けられる取付面部を有し、この取付面部に、機器側からアースねじが挿通されるアースねじ挿通孔が設けられるとともに、アースねじ挿通孔の近傍に一対の当接部挿通孔が設けられた端子台本体と；端子台本体内に収容され、取付面部のアースねじ挿通孔に挿通されるアースねじがねじ込まれるアースねじ取付孔が設けられたアースねじ取付部、および取付面部の当接部挿通孔を通じて機器側に当接するとともにアースねじ取付部のアースねじ取付孔の中心を通る直線上の位置でアースねじ取付孔の中心から同一距離の位置に設けられている一対の当接部を有し、アースねじの締め付けで機器側にアース接続されるアース端子と；を具備しているものである。
【０００９】
端子台本体は、例えば、ナイロン樹脂などの絶縁性を有する合成樹脂製で、ボディとカバーとで構成してもよく、アース端子の他、電源端子などを収容してもよい。端子台本体内に収容されたアース端子や電源端子などには、端子台本体の外部からアース線や電源線などが挿入されて電気的に接続される。また、アース端子は、例えば、導電性およびばね性を有する金属製で、端子台本体に挿入されるアース線を電気的に接続状態で抜け止め保持するアース線鎖錠端子部構造を一体に有していてもよい。アース端子の当接部は、アースねじの締め付けで機器側に当接すれば、取付面部の外面と面一でも、取付面部の外面より突出していてもよい。アース端子の当接部は、アースねじ取付部のアースねじ取付孔を中心とする複数位置に設けられていることが好ましく、さらには、アースねじ取付孔の中心を通る直線上の複数位置で、アースねじ取付孔の中心から同一距離の位置に設けられていることがより好ましい。アース端子の当接部は、アースねじ取付部以外のアース端子の箇所にも設けてもよい。また、アースねじは、頭部およびねじ部を有する一般的なねじ構造であり、頭部には機器側に塗装がある場合でもそれを剥がして電気的に接続されるように複数の突起が設けられたものでもよい。
【００１０】
請求項２記載の照明器具は、器具本体と；器具本体にアース接続されて取り付けられる請求項１記載の端子台と；器具本体に端子台をアース接続するアースねじと；を具備しているものである。
【発明の効果】
【００１１】
請求項１記載の端子台によれば、アース端子の一対の当接部が端子台本体の取付面部に設けられた一対の当接部挿通孔を通じて機器側に当接するため、熱の影響を受けて端子台本体が収縮して取付面部の板厚が薄くなっても、アースねじの締付力を維持し、アースねじによる機器側とアース端子とのアース接続の安定性は確実に維持できる。さらに、一対の当接部の位置が、アースねじ取付部のアースねじ取付孔の中心を通る直線上の位置で、アースねじ取付孔の中心から同一距離の位置に設けられているため、アースねじによる締付力をバランスよく受け、器具側との接触バランスもよく、例えばアース端子にアース線を接続するときなどの外力の影響を受けず、安定した接触状態を得ることができる。
【００１２】
請求項２記載の照明器具によれば、器具本体にアースねじでアース接続された請求項１記載の端子台を具備するため、器具本体のアースの安定性を確実に維持できる。
【発明を実施するための最良の形態】
【００１３】
以下、本発明の一実施の形態を図面を参照して説明する。
【００１４】
図１ないし図７に第１の実施の形態を示し、図１は端子台の取付状態でのアース端子の正面図、図２はアース端子の平面図、図３はアース端子の斜視図、図４は端子台の斜視図、図５は端子台の断面図、図６は端子台のカバーの平面図、図７は端子台を取り付けた照明器具の斜視図である。
【００１５】
図７には、機器としての天井埋込形の照明器具を示し、この照明器具は、下面が開口されたシャーシである金属製の器具本体11を備え、この器具本体11の長手方向両端に２組のランプソケット12がそれぞれ対向して取り付けられ、これら長手方向両端の各組のランプソケット12間にランプとしての２本の直管形蛍光ランプ13が接続されている。
【００１６】
器具本体11の天板部14の内面には、２本の直管形蛍光ランプ13間に位置して、端子台15および図示しない点灯装置が取り付けられているとともに、これらを覆う断面略Ｖ字形の反射板16が取り付けられている。端子台15には、天板部14に設けられた引込孔17を通じて外部から引き込まれる電源線やアース線が接続されるとともに、点灯装置から引き出されている内部配線が接続される。点灯装置はランプソケット12に内部配線によって接続されている。器具本体11の端子台15の取付位置には、図示しない複数の位置決め孔や、図１に示すアースねじ挿通孔11aなどが形成されている。
【００１７】
図４ないし図６に示すように、端子台15は、端子台本体21、この端子台本体21内に収容配置された正負極用の一対の図示しない電源端子およびアース端子22を備え、図１に示すように、器具本体11の天板部14の外面側から挿通するアースねじ23によって器具本体11の天板部14の内面に取り付けられているとともに器具本体11とアース端子22とがアース接続されている。
【００１８】
端子台本体21は、例えばナイロン樹脂などの絶縁性を有する樹脂材料で形成されたボディ26とカバー27とで箱形に構成されている。ボディ26は一面が開口され、カバー27はボディの開口を覆って被着され、ボディ26の側面に形成された複数の爪部28とカバー27の側面に形成された複数の孔部29との係合によってボディ26とカバー27とが結合されている。
【００１９】
ボディ26の一側面には、一対の電源端子に接続する点灯装置などとの内部配線が挿入される２組の一対の内部配線挿入孔30が形成されている。ボディ26のカバー27に対して反対側となる表面には、一対の電源端子に接続する電源線が挿入される一対の電源線挿入孔31および他の照明器具への送り配線が挿入される一対の送り配線挿入孔32が形成されているとともに、一対のアース端子22に接続するアース線が挿入される一対のアース線挿入孔33が形成されている。これら各挿入孔31，32，33の近傍には、各挿入孔31，32，33に挿入されて対応する端子に接続された各線を外すための解除操作部34，35，36が形成されている。
【００２０】
カバー27のボディ26に対して反対側となる面は、器具本体11の天板部14の内面に対向して取り付けられる取付面部37として形成されている。この取付面部37には、器具本体11の天板部14に形成された図示しない複数の位置決め孔に係合して位置決めされる複数の突部38が突設され、アースねじ23が挿通されるアースねじ挿通孔39が貫通形成されているとともにこのアースねじ挿通孔39の近傍位置に長方形状の一対の当接部挿通孔40が貫通形成されている。
【００２１】
ボディ26の内部には、一対の電源端子を収容する図示しない一対の電源端子収容部が形成されているとともに、アース端子22を収容するアース端子収容部41が形成されている。ボディ26の一対の電源端子収容部およびアース端子収容部41に収容された一対の電源端子およびアース端子22は、ボディ26に被着されるカバー27で押さえ付けられて収容されている。
【００２２】
また、図１ないし図３に示すように、アース端子22は、導電性およびばね性を有する金属製で、基板部43を有し、この基板部43の両側縁部から一対の電線受部44が基板部43の一面側に折曲形成され、基板部43の一対の電線受部44が設けられた両側縁部に対して交差する一方の縁部から鎖錠部45が基板部43の一面側に折曲形成されているとともに、他方の縁部からアースねじ取付部46が基板部43の一面側に折曲形成されている。
【００２３】
鎖錠部45は、中央部分で基板部43から折曲され、その中央部分の両側に先端が各電線受部44の内面に近接する鎖錠片部47が形成されている。各電線受部44および各鎖錠片部47の先端はボディ26の各アース線挿入孔33の内方に配置され、各アース線挿入孔33から挿入されるアース線を各鎖錠片部47の先端で各電線受部44に押し付けて電気的に接続させるとともにアース線に各鎖錠片部47の先端が食い付いてアース線を抜け止め保持するものであり、すなわちアース線鎖錠端子部構造がアース端子22に一体に形成されている。
【００２４】
アースねじ取付部46は、端子台本体21に収容された状態でカバー27の取付面部37の内面に平行に対向される。このアースねじ取付部46の中央にはカバー27のアースねじ挿通孔39と同一軸心位置に配置されるとともにアースねじ23の雄ねじより小径でそのアースねじ23がねじ込まれるアースねじ取付孔48が形成され、アースねじ取付部46の両側にはカバー27の取付面部37の当接部挿通孔40を通じて器具本体11に直接当接するように一対の当接部49が略直角に折曲形成されている。アースねじ取付部46と一対の当接部49とで断面略コ字形に形成されている。当接部49は、先端側から見た板厚を含めた形状が長方形で、当接部49を挿通する当接部挿通孔40との間に０．２ｍｍ程度のクリアランスがとられている。
【００２５】
一対の当接部49の先端は、アースねじ23の締め付けで器具本体11に当接すれば、取付面部37の外面と面一でも、取付面部37の外面より突出していてもよい。一対の当接部49の位置は、アースねじ取付部46のアースねじ取付孔48の中心を通る直線上の位置で、アースねじ取付孔48の中心から同一距離の位置に設けられている。なお、一対の当接部49の位置に対応して、取付面部37の一対の当接部挿通孔40の位置も形成されている。
【００２６】
また、アースねじ23は、頭部51およびねじ部52を有し、頭部51の器具本体11に対向する面には例えば三角錐状の複数の突起53が突出形成されている。ねじ部52は、タッピングねじで、アース導通性がよいようにクロメート処理が施されている。
【００２７】
次に、第１の実施の形態の作用を説明する。
【００２８】
端子台15の組立状態では、ボディ26の一対の電源端子収容部およびアース端子収容部41に一対の電源端子およびアース端子22が配置され、ボディ26に被着されるカバー27で一対の電源端子およびアース端子22がボディ26との間に押さえ付けられて収容されている。
【００２９】
アース端子22の各電線受部44および各鎖錠片部47の先端がボディ26の各アース線挿入孔33の内方に配置され、各鎖錠片部47の中間部が解除操作部36の内側に配置され、アースねじ取付部46のアースねじ取付孔48がカバー27のアースねじ挿通孔39に対向配置され、アースねじ取付部46の各当接部49がカバー27の各当接部挿通孔40に挿通配置されている。
【００３０】
そして、器具本体11に端子台15を取り付けるには、カバー27の取付面部37を器具本体11の内面に対向させ、この取付面部37から突出する各突部38を器具本体11に形成されている各位置決め孔に係合して位置決め配置する。この端子台15を位置決め配置した状態では、図１に示すように、器具本体11に形成されているアースねじ挿通孔11aと取付面部37のアースねじ挿通孔39との軸心が一致する。
【００３１】
アースねじ23のねじ部52を、器具本体11の外面側から、器具本体11のアースねじ挿通孔11aおよびカバー27のアースねじ挿通孔39を通じてアース端子22のアースねじ取付孔48に挿入し、アースねじ23をねじ込み方向に回動操作して、ねじ部52でアースねじ取付孔48にねじを切りながらねじ込み、アースねじ23を締め付ける。
【００３２】
アースねじ23を締め付けることにより、器具本体11とアース端子22とが相対的に接近するように移動し、アース端子22の一対の当接部49の先端が器具本体11に直接当接し、アース端子22の一対の当接部49とアースねじ23の頭部51との間に器具本体11を挟み込む状態に固定する。このとき、アースねじ23の頭部51から突出する複数の突起53が器具本体11の外面に塗装がある場合でもそれを剥がして電気的に接続されるように食い込む。
【００３３】
したがって、アースねじ23を締め付けることにより、アースねじ23の頭部51とアース端子22との間に器具本体11を挟み込んだ状態で、アースねじ23の頭部51が器具本体11に圧接し、アースねじ23を通じて器具本体11とアース端子22とがアース接続されるとともに、端子台15が器具本体11に取り付けられる。
【００３４】
そして、アース端子22の一対の当接部49が取付面部37に設けられた当接部挿通孔40を通じて器具本体11に直接当接しているため、直管形蛍光ランプ13の点灯時の熱や点灯装置から器具本体11を通じて伝達される熱の影響を受けて、カバー27の取付面部37が収縮して取付面部37の板厚ｔが薄くなっても、アースねじ23の締付力を維持でき、アースねじ23による器具本体11とアース端子22とのアース接続の安定性を確実に維持できる。
【００３５】
また、一対の当接部49の位置が、アースねじ取付部46のアースねじ取付孔48の中心を通る直線上の位置で、アースねじ取付孔48の中心から同一距離の位置に設けられているため、アースねじ23による締付力をバランスがよく受け、器具本体11との接触バランスもよく、アース端子22にアース線を接続するときなどの外力の影響を受けず、安定した接触状態を得ることができる。
【００３６】
また、アースねじを強くねじ込んで端子台を固定しようとした場合、アースねじ取付部が強いねじ込みトルクを受け、ねじれ変形しやすくなるが、各当接部49がカバー27の当接部挿通孔40の内面に当接することで、ねじれ変形を防止することができる。
【００３７】
次に、図８ないし図１０に第２の実施の形態を示し、図８は端子台のアース端子の平面図、図９はアース端子の正面図、図１０はアース端子の側面図である。
【００３８】
第１の実施の形態のアース端子22の当接部49に代えて、アースねじ取付部46の先端位置に当接部61が折曲形成されているとともに、基板部43のアースねじ取付部46が折曲された縁部の両側位置に一対の当接部62が基板部43から延長して一体に形成されている。なお、これら当接部61，62の位置に対応して、カバー27の取付面部37に各当接部挿通孔40が形成されている。
【００３９】
この場合にも、第１の実施の形態と同様の作用効果が得られる。
【００４０】
次に、図１１に第３の実施の形態を示し、図１１は端子台の取付状態でのアース端子の側面図である。
【００４１】
本実施の形態の端子台は、機器側に対向して取り付けられる取付面部を有し、この取付面部に機器側からアースねじが挿通されるアースねじ挿通孔が設けられた端子台本体と；端子台本体内に収容され、取付面部のアースねじ挿通孔に挿通されるアースねじがねじ込まれるアースねじ取付孔が設けられたアースねじ取付部、およびアースねじ取付部を支持するとともにアースねじの締め付けで機器側に移動するアースねじ取付部を機器側に対して反対側に付勢する弾性支持部を有し、アースねじの締め付けで機器側にアース接続されるアース端子と；を具備していることを特徴とする。この端子台によれば、アース端子の弾性支持部がアースねじ取付部を支持するとともにアースねじの締め付けで機器側に移動するアースねじ取付部を機器側に対して反対側に付勢するため、熱の影響を受けて端子台本体が収縮しても、アースねじの締付力を維持し、アースねじによる機器側とアース端子とのアース接続の安定性は確実に維持できる。
【００４２】
すなわち、アース端子22には、基板部43に一対のスリットを介して帯状の弾性支持部65が切り起こして形成され、この弾性支持部65によってアースねじ取付部46が支持されている。弾性支持部65は、基板部43からこの基板部43の一面側に傾斜するように鈍角に折曲された傾斜部66、およびこの傾斜部66の先端からアースねじ取付部46に連続するように鋭角に折曲された曲げ部67を有している。
【００４３】
そして、アースねじ23のねじ部52を、器具本体11の外面側から、器具本体11のアースねじ挿通孔11aおよびカバー27のアースねじ挿通孔39を通じてアース端子22のアースねじ取付孔48に挿入し、アースねじ23をねじ込み方向に回動操作して、ねじ部52でアースねじ取付孔48にねじを切りながらねじ込むことにより、アース端子22の弾性支持部65が弾性変形しながらアースねじ取付部46が器具本体11側に移動する。そのため、アース端子22の弾性支持部65がアースねじ23の締め付けで器具本体11側に移動するアースねじ取付部46を器具本体11側に対して反対側に付勢する。
【００４４】
したがって、アースねじ23を締め付けることにより、アース端子22の弾性支持部65の弾性で、アースねじ23の頭部51が器具本体11に圧接し、アースねじ23を通じて器具本体11とアース端子22とがアース接続されるとともに、端子台15が器具本体11に取り付けられる。
【００４５】
そして、アース端子22の弾性支持部65がアースねじ23の締め付けで器具本体11側に移動するアースねじ取付部46を器具本体11側に対して反対側に付勢するため、直管形蛍光ランプ13の点灯時の熱や点灯装置から器具本体11を通じて伝達される熱の影響を受けて、カバー27の取付面部37が収縮して取付面部37の板厚ｔが薄くなっても、アースねじ23の締付力を維持でき、アースねじ23による器具本体11とアース端子22とのアース接続の安定性を確実に維持できる。
【００４６】
次に、図１２および図１３に第４の実施の形態を示し、図１２は端子台の取付状態でのアース端子の側面図、図１３は端子台の取付状態でのアース端子の正面図である。
【００４７】
本実施の形態の端子台は、機器側に対向して取り付けられる取付面部を有し、この取付面部に機器側からアースねじが挿通されるアースねじ挿通孔が設けられた端子台本体と；端子台本体内に収容され、取付面部のアースねじ挿通孔に挿通されるアースねじが螺合するアースねじ取付孔が設けられたアースねじ取付部、機器側および取付面部のいずれか一方に当接してアースねじ取付部を機器側に対して反対方向に付勢する弾性当接部を有し、アースねじの締め付けで機器側にアース接続されるアース端子と；を具備していることを特徴とする。これにより、アース端子の弾性当接部が機器側および取付面部のいずれか一方に当接してアースねじ取付部を機器側に対して反対方向に付勢するため、熱の影響を受けて端子台本体が収縮しても、アースねじの締付力を維持し、アースねじによる機器側とアース端子とのアース接続の安定性は確実に維持できる。
【００４８】
すなわち、アース端子22には、基板部43のアースねじ取付部46が折曲された縁部の両側位置に、カバー27の取付面部37の内面に当接する一対の弾性当接部71が基板部43から延長して一体に形成されている。
【００４９】
一対の弾性当接部71は、アースねじ取付部46と同一方向に傾斜状に折曲形成され、アース端子22をボディ26のアース端子収容部41に収容してカバー27を被着する際に、カバー27の取付面部37の内面と当接して弾性変形し、アース端子22つまりアースねじ取付部46を取付面部37側に対して反対方向に付勢する反発力が付与されている。
【００５０】
一対の弾性当接部71の先端は、アースねじ取付部46のアースねじ取付孔48の中心を通る直線上の位置で、アースねじ取付孔48の中心から同一距離の位置において、カバー27の取付面部37の内面に当接するように構成されている。
【００５１】
そして、アースねじ23のねじ部52を、器具本体11の外面側から、器具本体11のアースねじ挿通孔11aおよびカバー27のアースねじ挿通孔39を通じてアース端子22のアースねじ取付孔48に挿入し、アースねじ23をねじ込み方向に回動操作して、ねじ部52でアースねじ取付孔48にねじを切りながらねじ込む。
【００５２】
したがって、アースねじ23を締め付けることにより、アースねじ23の頭部51が器具本体11に圧接し、アースねじ23を通じて器具本体11とアース端子22とがアース接続されるとともに、端子台15が器具本体11に取り付けられる。
【００５３】
そして、アース端子22の弾性当接部71がカバー27の取付面部37に当接してアースねじ取付部46を器具本体11側に対して反対方向に付勢する反発力を有しているため、直管形蛍光ランプ13の点灯時の熱や点灯装置から器具本体11を通じて伝達される熱の影響を受けて、カバー27の取付面部37が収縮して取付面部37の板厚ｔが薄くなっても、アースねじ23の締付力を維持でき、アースねじ23による器具本体11とアース端子22とのアース接続の安定性を確実に維持できる。
【００５４】
次に、図１４に第５の実施の形態を示し、図１４は端子台の取付状態のアース端子の側面図である。
【００５５】
第５の実施の形態において、アース端子22の弾性当接部71の先端が器具本体11に直接当接するように構成されている。この場合、カバー27の取付面部37には弾性当接部71が挿通する開口部72が形成され、弾性当接部71の先端は開口部72を通じて取付面部37の外方に突出されている。
【００５６】
そして、端子台15を器具本体11の内面に配置することにより、弾性当接部71の先端が器具本体11の内面に直接当接する。アースねじ23のねじ部52を、器具本体11の外面側から、器具本体11のアースねじ挿通孔11aおよびカバー27のアースねじ挿通孔39を通じてアース端子22のアースねじ取付孔48に挿入し、アースねじ23をねじ込み方向に回動操作して、ねじ部52でアースねじ取付孔48にねじを切りながらねじ込むことにより、器具本体11の内面と直接当接する弾性当接部71が弾性変形し、アース端子22つまりアースねじ取付部46を器具本体11側に対して反対方向に付勢する反発力が付与される。
【００５７】
したがって、アースねじ23を締め付けることにより、アースねじ23の頭部51が器具本体11に圧接し、アースねじ23を通じて器具本体11とアース端子22とがアース接続されるとともに、端子台15が器具本体11に取り付けられる。
【００５８】
そして、アース端子22の弾性当接部71が器具本体11の内面に直接当接してアースねじ取付部46を器具本体11側に対して反対方向に付勢する反発力を有しているため、直管形蛍光ランプ13の点灯時の熱や点灯装置から器具本体11を通じて伝達される熱の影響を受けて、カバー27の取付面部37が収縮して取付面部37の板厚ｔが薄くなっても、アースねじ23の締付力を維持でき、アースねじ23による器具本体11とアース端子22とのアース接続の安定性を確実に維持できる。
【図面の簡単な説明】
【００５９】
【図１】第１の実施の形態を示す端子台の取付状態でのアース端子の正面図である。
【図２】同上アース端子の平面図である。
【図３】同上アース端子の斜視図である。
【図４】同上端子台の斜視図である。
【図５】同上端子台の断面図である。
【図６】同上端子台のカバーの平面図である。
【図７】同上端子台を取り付けた照明器具の斜視図である。
【図８】第２の実施の形態を示す端子台のアース端子の平面図である。
【図９】同上アース端子の正面図である。
【図１０】同上アース端子の側面図である。
【図１１】第３の実施の形態を示す端子台の取付状態でのアース端子の側面図である。
【図１２】第４の実施の形態を示す端子台の取付状態でのアース端子の側面図である。
【図１３】同上端子台の取付状態でのアース端子の正面図である。
【図１４】第５の実施の形態を示す端子台の取付状態のアース端子の側面図である。
【符号の説明】
【００６０】
11    器具本体
15    端子台
21    端子台本体
22    アース端子
23    アースねじ
37    取付面部
39    アースねじ挿通孔
40    当接部挿通孔
46    アースねじ取付部
48    アースねじ取付孔
49，61，62    当接部
【図１】
0004803364.tif 000002
【図２】
0004803364.tif 000003
【図３】
0004803364.tif 000004
【図４】
0004803364.tif 000005
【図５】
0004803364.tif 000006
【図６】
0004803364.tif 000007
【図７】
0004803364.tif 000008
【図８】
0004803364.tif 000009
【図９】
0004803364.tif 000010
【図１０】
0004803364.tif 000011
【図１１】
0004803364.tif 000012
【図１２】
0004803364.tif 000013
【図１３】
0004803364.tif 000014
【図１４】
0004803364.tif 000015